(57)【特許請求の範囲】
【請求項１】
キー入力により保存データを消去する機能を有する電気製品において、
前記保存データが時間的に積算されるデータであり、
前記キーの入力を受け付けると保存データを退避し、
前記キーの入力を受け付けてから再度前記キーの入力を受け付けると、前記キーの入力を受け付けてから再度前記キーの入力を受け付けるまでに積算される追加データを前記保存データに加算して復帰させるようにしたことを特徴とするデータ復帰可能な電気製品。
【請求項２】
前記キーの入力を受け付けてから再度前記キーの入力を受け付けるまでの時間が所定時間を越えているときは、データ復帰を行わないことを特徴とする請求項１に記載の電気製品。
【請求項３】
前記キーの入力を受け付けてから再度前記キーの入力を受け付けるまでの時間が所定時間内のときは、データ復帰が可能である旨をユーザに周知させるようにしたことを特徴とする請求項１または２に記載の電気製品。
【発明の詳細な説明】
【０００１】
【発明の属する技術分野】
本発明はデータ復帰可能な電気製品に関する。
【０００２】
【従来の技術】
従来、例えば、イオン水生成器では、浄水カートリッジのフィルタに原水を通水して浄水にした後、該浄水を電解槽に供給し、該電解槽の電極に電流を流して浄水をイオン化することでイオン水を生成するようにしている。フィルタが汚れると浄水機能が無くなるので、定期的に浄水カートリッジを交換する必要がある。そこで、浄水カートリッジの通水量を積算する積算通水量カウンタを設け、この積算通水量カウンタのカウント値に基づいて浄水カートリッジの交換時期をユーザに知らしめるようにしている。浄水カートリッジが交換され、リセットスイッチが押されると、積算通水量カウンタをリセットし、新たなカウントを開始するようにしている。
【０００３】
【発明が解決しようとする課題】
このような電気製品においては、リセットスイッチが誤って押されてもデータが消去されないように、リセットスイッチは数秒間連続押しされて始めて受け付けるようにしている。しかしながら、それでもなお、ユーザはリセットスイッチの機能を誤解して数秒間連続押ししてしまうことがあり、このような場合にはもはやデータを復帰させることができず、前記浄水カートリッジの交換時期の周知も無意味になってしまうという問題があった。
【０００４】
本発明は、かかる問題点に鑑みてなされたもので、一旦消去されたデータを復帰させることができるデータ復帰可能な電気製品を提供することを課題とするものである。
【０００５】
【課題を解決するための手段】
前記課題を解決するための手段として、本発明は、キー入力により保存データを消去する機能を有する電気製品において、前記保存データが時間的に積算されるデータであり、
前記キーの入力を受け付けると保存データを退避し、前記キーの入力を受け付けてから再度前記キーの入力を受け付けると、前記キーの入力を受け付けてから再度前記キーの入力を受け付けるまでに積算される追加データを前記保存データに加算して復帰させるようにしたものである。これにより、ユーザが誤ってキーを押して保存データを消去しても、その誤りに気が付いたユーザが再度キーを押すことで、保存データを復帰させることができる。
【０００６】
また、保存データの消去後に積算される追加データが加算されて正確なデータとして復帰させることができる。
【０００７】
前記キーの入力を受け付けてから再度前記キーの入力を受け付けるまでの時間が所定時間を越えているときは、データ復帰を行わないことが好ましい。また、前記キーの入力を受け付けてから再度前記キーの入力を受け付けるまでの時間が所定時間内のときは、データ復帰が可能である旨をユーザに周知させるようにすることが好ましい。
【０００８】
【発明の実施の形態】
次に、本発明の実施の形態を添付図面に従って説明する。
【０００９】
図１は、本発明にかかるイオン水生成器１を示す。このイオン水生成器１の概略構成を作用とともに説明すると、水道水である原水は原水入口２から流量センサ３を介して活性炭フィルタ４に入り、ここで１次浄化された後、カルシウム添加部５を経て中空糸膜層６に入り、ここで２次浄化され、浄水となる。活性炭フィルタ４と中空糸膜層６は、一体で取り外し可能であるので、以下、これらをまとめて浄水カートリッジという。浄水は、電解槽７の陽極室８と陰極室９に入り、ここで電気分解され、陽極室８からはＯＨイオンを含む酸性イオン水となって出口ノズル１０から流出し、陰極室９からはアルカリイオン水となって排水口１１から流出する。電磁弁１２は、浄水時に排出口１１を閉じて出口ノズル１０から浄水を流出するようになっている。また、アルカリイオン水と酸性イオン水の切換えは、電解槽７の陽極室８と陰極室９の極性の切換えによって行うことができる。
【００１０】
イオン水生成器１の正面には、図２に示すように、液晶表示板１３とリセットスイッチ１４が設けられている。液晶表示板１３には、４つの矩形のサイン領域１５ａ，１５ｂ，１５ｃ，１５ｄを上下に配設して積算通水量のレベルを表示するためのカートリッジサインメータ１５と、浄水カートリッジ４，６の交換時期をユーザに周知させる「交換」の文字からなる表示部１６とが設けられている。リセットスイッチ１４は、浄水カートリッジ４，６が交換されたときに押されるものである。また、イオン水生成器１には、積算通水量カウンタ１７とマイクロコンピュータ１８が設けられている。積算通水量カウンタ１７は、前記流量センサ３で検出される通水量を積算するものである。マイクロコンピュータ１８は、中央演算処理部１９と、メモリ部１０と、タイマ部２１を有し、前記積算通水量カウンタ１７で得られる積算通水量に応じて、前記カートリッジサインメータ１５に積算通水量のレベルを表示するとともに、「交換」表示部１６に交換時期である旨を表示するようになっている。
【００１１】
次に、前記構成からなるイオン水生成器１のマイコン２２による積算通水量のレベルと交換時期の表示、データ復帰の動作を説明する。
【００１２】
マイクロコンピュータ１８は、積算通水量カウンタ１７で積算される積算通水量が２，５００リットル未満のときは、カートリッジサインメータ１５の各サイン領域１５ａ，１５ｂ，１５ｃ，１５ｄを全て消灯する。また、積算通水量が２，５００リットル以上５，０００リットル未満のときは、レベル１のサイン領域１５ａを点灯し、積算通水量が５，０００リットル以上７，５００リットル未満のときは、レベル２のサイン領域１５ｂを点灯し、積算通水量が７，５００リットル以上１０，０００リットル未満のときは、レベル３のサイン領域１５ｃを点灯する。このように、レベル１から順に点灯してゆくことで交換時期に近づいていることをユーザに知らしめることができる。そして、積算通水量が１０，０００リットル以上のときは、レベル４のサイン領域１５ｄと「交換」表示部１６を点灯し、交換時期になったことをユーザに知らしめることができる。
【００１３】
ユーザは、液晶表示板１３の「交換」表示部１６が点灯しているのを確認して、浄水カートリッジ４，６を新しいものと交換し、その後にリセットスイッチ１４を押すことで、積算通水量カウンタ１７がリセットされ、新たに通水量の積算が開始されるので、以後正しくイオン水生成器を使用できる。
【００１４】
しかしながら、イオン水生成器１の操作に不慣れなユーザは、リセットスイッチ１４の機能を知らずに、あるいはリセットスイッチ１４の機能を誤解して、カートリッジ４，６の交換を行わないのにリセットスイッチ１４を押すことがある。このような場合、積算通水量カウンタ１７がリセットされ、浄水カートリッジ４，６の交換時期がずれる。この結果、本来の交換時期がきているにも拘わらず、交換されずに放置され、浄水機能が損なわれることになる。
【００１５】
そこで、本発明では、以下に説明するように、リセットスイッチ１４を押したユーザがその誤りに気が付いて再度リセットスイッチ１４を押せば、積算通水量の保存データが復帰するようにしている。
【００１６】
次に、マイクロコンピュータ１８によるこの保存データ復帰動作を図３のフローチャートに従って説明する。
【００１７】
ステップ１０１でリセットキー１４を受け付けたか否かを判断し、受け付けていなければ受け付けるまで待機する。リセットキー１４を受け付ければ、ステップ１０２で、そのときの積算通水量カウンタ１７のデータをメモリ２０に保存して退避させるとともに、積算通水量カウンタ１７をリセットし、同時に３分タイマ２１をスタートさせる。次に、ステップ１０３で、現在点灯表示中のカートリッジサインメータ１５と「交換」表示部１６を点滅させる。そして、ステップ１０４で、３分タイマ２１のカウントアップによりリセットキー１４を受け付けてから３分経過したか否かを判断する。
【００１８】
このステップ１０４で、３分経過していれば、ステップ１０５で、カートリッジサインメータ１５および「交換」表示部１６を全て消灯してステップ１０１に戻る。また、ステップ１０４で、３分経過していなければ、ステップ１０６でリセットキー１４が再度受け付けられたか否かを判断する。受け付けられなければステップ１０４に戻る。受け付けられれば、ステップ１０７で、メモリ２０に退避しておいた保存データに、リセットした積算通水量カウンタ１７の現在データを加算してステップ１０１に戻り、以下同様の手順を繰り返す。
【００１９】
この保存データ復帰動作により、浄水カートリッジ４，６を交換していないのにリセットスイッチ１４を押したユーザがその誤りに気が付いて３分以内に再度リセットスイッチ１４を押せば、データが復帰するので、以後正しくカートリッジサインメータ１５と「交換」表示部１６による交換時期を正しく表示することができる。また、リセット後、直ちにユーザが通水したとしても、そのリセット後の積算通水量カウンタの現在データが保存データに加算されるので、正確なデータが得られる。
【００２０】
なお、前記実施形態は、本発明をイオン水生成器に適用したものであるが、これに限らず、通常の浄水器にも適用できることは勿論のこと、炊飯器やポット等の電気製品にも適用することができる。
【００２１】
【発明の効果】
以上の説明から明らかなように、本発明によれば、キー入力により保存データを消去する機能を有する電気製品において、保存データが時間的に積算されるデータであり、キーの入力を受け付けると保存データを退避し、キーの入力を受け付けてから再度キーの入力を受け付けると、キーの入力を受け付けてから再度キーの入力を受け付けるまでに積算される追加データを保存データに加算して復帰させるようにしたので、ユーザが誤ってキーを押して保存データを消去しても、その誤りに気が付いたユーザが再度キーを押すことで、保存データを復帰させることができる。また、保存データの消去後に積算される追加データが加算されて正確なデータとして復帰させることができる。
【図面の簡単な説明】
【図１】  本発明にかかるイオン水生成器の概略図。
【図２】  図１のイオン水生成器の制御ブロック図。
【図３】  図１のイオン水生成器のデータ消去・復帰動作を示すフローチャート。
【符号の説明】
１…イオン水生成器、１３…液晶表示板、１５…カートリッジサインメータ、１６…「交換」表示部。
【図１】
0003673443.tif 000002
【図２】
0003673443.tif 000003
【図３】
0003673443.tif 000004